(57)【要約】【課題】被検者頭部の生体光計測や生体脳波計測時に計測器具、特に生体光測定用プローブ先端部や脳波測定用の電極プローブ、を正確に安定して、かつ、容易に取り付けることを可能とし、計測の精度や計測条件の安定性を向上しつつ検査者の操作時間および被検者の診断時間と負担を軽減させる。【解決手段】被検者の頭部を計測する計測装置において、頭部に固定されたホルダに計測装置を装着する際に頭髪を除外する爪状の機構を備えた。【選択図】      図２
2004357898.tif 000002
【特許請求の範囲】
【請求項１】
計測器具および上記計測器具を装着して頭部に固定するホルダを有しており、上記計測器具によって被検者の頭部を計測する計測装置において、上記計測器具が配置される位置に対応する部分の頭部頭髪をかき分ける機構をさらに備えたことを特徴とする生体光計測装置。
【発明の詳細な説明】
【０００１】
【発明の属する技術分野】
本発明は被検者の頭部の診断装置に関する。特に被検者の頭部頭髪を避けて計測を容易化できる計測装置に関する。特には、生体光計測を利用した診断において、計測器具としてのプローブの装着の操作等を容易化するのに好適な生体光計測装置に関する。
【０００２】
【従来の技術】
頭部の計測を行う場合、たとえば生体光計測を利用した診断では、頭部に固定されたホルダに取り付けられているソケットにプローブを装着する。このとき、被検者の頭皮とホルダの間に被検者の頭髪が挟みこまれてしまうと頭部への入力情報や頭部からの出力情報が減衰して正確な診断ができない。
【０００３】
図５は従来の計測装置を示したものである。図中、１はソケット、４はソケット１に施された穴、５は除外した頭髪の収納部分、６は計測器具、８は被検者の頭皮、９は被検者の頭髪、１０は小型の杓子状の器具をそれぞれ示す。従来の技術では、計測器具を装着する際に小型の杓子状の器具１０を使い計測箇所毎に頭髪を除外しながら計測器具６を頭皮に接触させて計測を行っている。
また、生体光計測に限らず、頭部に計測器具を接触させて計測する場合や頭部に近接させて計測する場合においても、小型の杓子状の器具を用いて頭髪をいちいち掻き分けながら計測をおこなうことは、計測の効率を大幅に悪化させることになり、検査者の操作時間や診断時間が長くなり、被検者の束縛時間が増え被検者の負担が増えるなどその他の問題も引き起こしていた。
【０００４】
たとえば［特許文献１］では、プローブケースを揺動することで、頭髪をかきわけることができる構成を開示しているが、髪質や髪の量によっては頭髪を充分かきわけることができない。このような場合、髪の毛を一本一本確実にかき分けるには上述のような小型の杓子状の器具を用いざるを得なかった。
【０００５】
【特許文献１】
特開２００２−１４３１７０号公報
【０００６】
【発明が解決しようとする課題】
本発明の課題は計測器具、特に生体光測定用プローブ先端部や脳波測定用の電極プローブを頭皮に安定して密着させ、計測の精度や計測条件の安定性を向上できる計測装置を提供することである。
また、さらに髪を一本一本かき分けずとも、まとめて一気にかき分けて直ぐ後に計測器具を被検者の頭皮に密着できる計測装置を提供することである。
【０００７】
【課題を解決するための手段】
本願発明によれば、計測器具および上記計測器具を装着して頭部に固定するホルダを有しており、上記計測器具によって被検者の頭部を計測する計測装置において、上記計測器具が配置される位置に対応する部分の頭部頭髪をかき分ける機構をさらに備えた上記計測装置を提供する。
【０００８】
【発明の実施の形態】
以下図面を参照して本発明の実施例を説明する。
図１は本発明の一実施例による計測器具６としてのプローブ装着前の状態を示す断面図である。また、図２は本発明の一実施例による計測器具６としてのプローブ装着後の状態を示す断面図である。図３は本発明の一実施例による計測器具装着前の状態を示す部分破断斜視図である。また、図４は本発明の一実施例による計測器具装着後の状態を示す部分破断斜視図である。
【０００９】
図中、１はソケット、２は頭髪除外用爪、３は頭髪除外用爪２の支点、４はソケット１に施された穴、５は除外した頭髪の収納部分、６は計測器具、７はばね、８は被検者の頭皮、９は被検者の頭髪をそれぞれ示す。穴４の側部には支点３に支えられ、かつ、ばね７によって上方向に付勢された爪２が設けられている。
【００１０】
上記計測器具６は、例えば生体光計測装置用のプローブや生体脳波計測用の電極プローブである。生体光計測装置は複数の光照射プローブと複数の光検出プローブとを頭皮上に配置して、照射プローブから照射した近赤外光が多数回散乱されながら大脳皮質まで達して、頭皮上に戻ってきた反射光を光検出プローブで検出することにより、頭皮下の大脳表面を含む部位の血液量の変化量を主とする生体反応の計測に用いる。たとえば、頭皮上に照射した近赤外光を約３ｃｍ離れた位置で検出した光の強度により頭表から２０ｍｍ前後の深さの大脳表面部位の血液量の変化を測定できる。
【００１１】
上記爪２は上述したとおり上方向に付勢されているため、図１および図３においては穴４内に突出している。計測器具６を上記穴４に挿入すると、図２及び図４に示すように、爪２は下に押しやられて、爪２の先端は穴４の直下の頭髪９をかき分けながら、除外した頭髪の収納部分５に頭髪を追いやって、穴４直下の頭皮を露出させる。これと同時に計測器具６は露出した頭皮８に接して計測を待つこととなる。爪２は被検者の頭皮７に直接触れるものなので、頭皮を傷つけない材料や形状であることが要求される。たとえば、爪２の先端は丸みを帯びていることが望ましく、材質は硬度の低い樹脂などが望ましい。また爪の間に頭髪を巻き込んで絡めてしまうことがないような形状が望ましい。具体的には、図３と４中、複数の爪２の交差する部分の隙間が髪の毛の太さより狭ければ髪の毛の噛みこみを防止して、被検者はより快適に検査を受けることができる。髪の毛の太さには個人差があるが、たとえば０．０１ｍｍ以下の上記隙間とすれば、髪の毛の噛み込みはかなりの程度防止できる。この隙間は組み立て精度や上記爪の寸法精度を向上することで達成可能である。
【００１２】
計測終了後にプローブ６をソケット１から、取り外すと、ばね７の反力で爪２が元の状態にもどり、図１および図３の状態に戻る。このように計測器具を穴に挿入して計測位置にセットする際、爪２が同時に頭髪９をかき分けるためワンアクションで計測位置のセットと頭髪のかきわけが実現できる。
【００１３】
【発明の効果】
本発明は上述のように、ソケット１内部にプローブ等計測器具の挿入によって稼動する爪状の頭髪除外機構２を備える構成にしたものである。上記構成にしたことにより、被検者頭部の生体光計測や生体脳波計測時に計測器具を正確に、かつ、容易に取り付けることができるので、検査者の操作時間、被検者の診断時間と負担が軽減される。特に生体光計測診断のソケットとプローブの装着に際しては、充分確実に頭髪を避けてプローブを頭皮に密着可能であるため大きな効果を発揮する。
【図面の簡単な説明】
【図１】本発明の一実施例による計測器具装着前の状態を示す断面図。
【図２】本発明の一実施例による計測器具装着後の状態を示す断面図。
【図３】本発明の一実施例による計測器具装着前の状態を示す部分破断斜視図。
【図４】本発明の一実施例による計測器具装着後の状態を示す部分破断斜視図。
【図５】従来技術による計測器具装着後の状態を示す断面図。
【符号の説明】
１    ソケット
２    頭髪除外用爪
３    頭髪除外用爪２の支点
４    ソケット１に施された穴
５    除外した頭髪の収納部分
６    計測器具プローブ
７    ばね
８    被検者の頭皮
９  被検者の頭髪
１０  頭髪除去用の小型杓子状器具
【図１】
2004357898.tif 000003
【図２】
2004357898.tif 000004
【図３】
2004357898.tif 000005
【図４】
2004357898.tif 000006
【図５】
2004357898.tif 000007